(57)【要約】【課題】  通信モードごとに決められた外線接続番号を決めておき、ユーザによって指定された通信モードに適した外線接続番号を容易に付与する仕組みを提供する。【解決手段】  ユーザから宛先情報を受け付ける受付手段と、  前記受付手段によって受け付けた宛先情報ごとに通信モードを判断する判断手段と、  前記判断手段によって判断された通信モードが第１の通信モードであれば、第１の外線接続番号を前記宛先情報に付与し、前記判断手段によって判断された通信モードが第２の通信モードであれば、前記第１の外線接続番号とは異なる第２の外線接続番号を前記宛先情報に付与する制御手段とを備えることを特徴とする。【選択図】  図１０
2015201757.tif 000002
【特許請求の範囲】
【請求項１】
ユーザから宛先番号を受け付ける受付手段と、
前記受付手段によって受け付けた宛先番号を用いて行う通信の通信モードを判断する判断手段と、
前記宛先番号の先頭に外線接続番号を付与する付与手段と、
前記判断手段によって判断された通信モードが第１の通信モードであれば、前記宛先番号の先頭に第１の外線接続番号を前記付与手段によって付与するよう制御し、前記判断手段によって判断された通信モードが第２の通信モードであれば、前記宛先番号の先頭に前記第１の外線接続番号とは異なる第２の外線接続番号を前記付与手段によって付与するよう制御する制御手段とを有することを特徴とする情報処理装置。
【請求項２】
前記受付手段は、第１の宛先番号と、当該第１の宛先情報とは異なる第２の宛先番号を受け付け、
前記判断手段は、前記第１の宛先番号を用いて行う通信の通信モードと、前記第２の宛先番号を用いて行う通信の通信モードを判断し、
前記制御手段は、前記第１の宛先番号を用いて行う通信の通信モードが前記第１の通信モードであれば、前記第１の宛先番号の先頭に前記第１の外線接続番号を前記付与手段によって付与するよう制御し、前記第１の宛先番号を用いて行う通信の通信モードが前記第２の通信モードであれば、前記第１の宛先番号の先頭に前記第２の外線接続番号を前記付与手段によって付与するよう制御し、
前記第２の宛先番号を用いて行う通信の通信モードが前記第１の通信モードであれば、前記第２の宛先番号の先頭に前記第１の外線接続番号を前記付与手段によって付与するよう制御し、前記第２の宛先番号を用いて行う通信の通信モードが前記第２の通信モードであれば、前記第２の宛先番号の先頭に前記第２の外線接続番号を前記付与手段によって付与するよう制御することを特徴とする請求項１に記載の情報処理装置。
【請求項３】
前記付与手段によって付与されるべき外線接続番号を記憶する記憶手段をさらに有し、
前記受付手段によって受け付けた宛先番号の先頭に、前記記憶手段に記憶された外線接続番号が含まれている場合に、前記制御手段は、前記宛先番号の先頭に外線接続番号を前記付与手段によってさらに付与しないよう制御することを特徴とする請求項１または２に記載の情報処理装置。
【請求項４】
画像データを入力する入力手段と、
前記入力手段に入力された画像データを画像処理装置に送信させる送信手段をさらに有し、
前記画像処理装置で外線接続番号が付与される場合に、前記制御手段は、前記宛先番号の先頭に外線接続番号を前記付与手段によって付与しないよう制御することを特徴とする請求項１乃至３のいずれか１項に記載の情報処理装置。
【請求項５】
前記送信手段は、前記画像処理装置に前記付与手段によって外線接続番号が付与された宛先番号をさらに送信することを特徴とする請求項４に記載の情報処理装置。
【請求項６】
前記通信モードは、Ｉｎｔｒａｎｅｔ、ＮＧＮ、ＶｏＩＰゲートウェイを含むことを特徴とする請求項１乃至５のいずれか１項に記載の情報処理装置。
【請求項７】
ユーザから宛先番号を受け付ける受付手段と、
前記宛先番号の先頭に外線接続番号を付与する付与手段と、
前記宛先番号を用いて通信を行う通信モードが第１の通信モードであれば、前記宛先番号の先頭に第１の外線接続番号を前記付与手段によって付与するよう制御し、前記宛先番号を用いて通信を行う通信モードが第２の通信モードであれば、前記宛先番号の先頭に前記第１の外線接続番号とは異なる第２の外線接続番号を前記付与手段によって付与するよう制御する制御手段とを備えることを特徴とする情報処理装置。
【請求項８】
ユーザから宛先番号を受け付ける受付工程と、
前記受付工程で受け付けた宛先番号ごとに通信モードを判断する判断工程と、
前記判断工程で判断された通信モードが第１の通信モードであれば、前記宛先番号の先頭に第１の外線接続番号を付与するよう制御し、前記判断工程で判断された通信モードが第２の通信モードであれば、前記宛先番号の先頭に前記第１の外線接続番号とは異なる第２の外線接続番号を付与するよう制御する制御工程とを備えることを特徴とする情報処理装置の制御方法。
【請求項９】
請求項８に記載された情報処理装置の制御方法を、コンピュータに実行させるためのプログラム。
【発明の詳細な説明】
【技術分野】
【０００１】
本発明は、情報処理装置、情報処理装置の制御方法、及び、プログラムに関するものである。
【背景技術】
【０００２】
従来、ＰＣ（Ｐａｒｓｏｎａｌ  Ｃｏｍｐｕｔｅｒ）のファクスドライバソフトウェアからファクス等の画像処理装置へ画像データを送信し、画像処理装置に画像データをファクス送信させる方法が知られている。
【０００３】
また、宛先の電話番号の先頭に外線接続番号をユーザから受け付けた場合に、会社や建物の外にファクス送信する画像処理装置がある（特許文献１参照）。この画像処理装置は、ユーザから入力された外線接続番号を含む先頭の番号によって、ファクス（Ｇ３）とＩＰファクスなどの通信モードを選択する。
【０００４】
また、外線接続番号を付与する際の手間を省くために予め外線接続番号を記憶しておき、その外線接続番号の呼び出しボタンの押下に応じて、ユーザが指定した送信宛先に外線接続番号を付与するファクスドライバがある。
【先行技術文献】
【特許文献】
【０００５】
【特許文献１】特開２００４−１１２５１５号公報
【発明の概要】
【発明が解決しようとする課題】
【０００６】
従来技術の場合、ＩＰファクスやＧ３といった通信モードによらずに、一律固定の外線接続番号が付与される。そのため、次のような課題がある。
【０００７】
通信モードがＩＰファクスである場合、外線接続番号が不要あるいはＧ３環境とは異なる外線接続番号が必要な環境が一般的である。そのため、この機能をＩＰファクス環境で使用すると、宛先に不要な外線接続番号が付与され、エラーや誤送信の原因となってしまう。
【０００８】
本発明は、このような課題に鑑みてなされたものである。本発明は、通信モードごとに決められた外線接続番号を決めておき、ユーザによって指定された通信モードに適した外線接続番号を容易に付与する仕組みを提供することを目的とする。
【課題を解決するための手段】
【０００９】
ユーザから宛先情報を受け付ける受付手段と、
前記受付手段によって受け付けた宛先情報ごとに通信モードを判断する判断手段と、
前記判断手段によって判断された通信モードが第１の通信モードであれば、第１の外線接続番号を前記宛先情報に付与し、前記判断手段によって判断された通信モードが第２の通信モードであれば、前記第１の外線接続番号とは異なる第２の外線接続番号を前記宛先情報に付与する制御手段とを備えることを特徴とする情報処理装置。
【発明の効果】
【００１０】
本発明によれば、通信モードごとに決められた外線接続番号を決めておき、ユーザによって指定された通信モードに適した外線接続番号を容易に付与することができる。
【図面の簡単な説明】
【００１１】
【図１】第１の実施形態に係るネットワークシステムの構成を示す図である。
【図２】第１の実施形態に係るファクス装置の構成を示す図である。
【図３】第１の実施形態に係るクライアント装置を示す図である。
【図４】第１の実施形態に係るファクスドライバの画面を説明するための図である。
【図５】第１の実施形態に係るファクスドライバの画面を説明するための図である。
【図６】第１の実施形態に係るファクスドライバの画面を説明するための図である。
【図７】第１の実施形態に係るファクスドライバの画面を説明するための図である。
【図８】第１の実施形態に係るファクスドライバの画面を説明するための図である。
【図９】第１の実施形態に係る宛先情報テーブルを説明するための図である。
【図１０】第１の実施形態に係るクライアント装置の制御を説明するためのフローチャートである。
【図１１】第１の実施形態に係るクライアント装置の制御を説明するためのフローチャートである。
【図１２】第１の実施形態に係るファクス装置の制御を説明するためのフローチャートである。
【図１３】第２の実施形態に係るファクスドライバの画面を説明するための図である。
【図１４】第２の実施形態に係る宛先情報テーブルを説明するための図である。
【図１５】第２の実施形態に係るクライアント装置の制御を説明するためのフローチャートである。
【図１６】第３の実施形態に係る宛先情報テーブルを説明するための図である。
【図１７】第３の実施形態に係るクライアント装置の制御を説明するためのフローチャートである。
【図１８】第４の実施形態に係る宛先情報テーブルを説明するための図である。
【図１９】第４の実施形態に係るクライアント装置の制御を説明するためのフローチャートである。
【発明を実施するための形態】
【００１２】
＜第１の実施形態＞
以下、本発明を実施するための最良の形態について図面を用いて説明する。
本実施形態におけるネットワークシステムの例である。
【００１３】
ファクスシステム１０００は、画像処理装置の一例であるファクス装置１００と、情報処理装置の一例であるクライアント装置１１０を含む。
【００１４】
ファクス装置１１０とクライアント装置１２０はネットワーク１３０を介して接続されている。また、ファクス装置１００は、公衆電話網１４０と構内ＩＰ網１４１に接続されている。
【００１５】
ファクス装置（Ｇ３）は、公衆電話網１４０に接続されている。また、ファクス装置１２１は、公衆電話網１４０に接続され、ゲートウェイを介してＮＧＮ網１４２に接続されている。
【００１６】
この接続環境において、ファクス装置１００は、公衆電話網１４０を介してファクス装置（Ｇ３）１２０と通信する。また、ファクス装置１００は、構内ＩＰ網１４１、ゲートウェイ１２３、ＮＧＮ網１４２、ゲートウェイ１２２を介してファクス装置１２１と通信する。
【００１７】
クライアント装置１１０は、例えば、ＰＣ（Ｐｅｒｓｏｎａｌ  ｃｏｍｐｕｔｅｒ）であり、ファクス装置１００を制御するためのファクスドライバを備えている。クライアント装置１１０は、アプリケーションソフトによって画像データを生成し、生成された画像データを、ファクスドライバを介してファクス装置１００に送信する。
【００１８】
ファクス装置１００は、クライアント装置１１０から受信した画像データを、宛先として設定されたファクス装置に送信する。宛先となるファクス装置は、ファクス装置１２０やファクス装置１２１である。なお、宛先となるファクス装置は、これらに限らず、構内ＩＰ網に接続されていても良い。
【００１９】
また、ファクス装置１００は、ファクス装置１００の操作部を介して、ユーザから原稿の送信指示を受け付けたことに従って、原稿を読み取り、読み取った原稿の画像を宛先のファクス装置に送信する。
【００２０】
さらに、ファクス装置１００は、ファクス受信機能を備え、ファクス装置１２０やファクス装置１２１から画像データを受信し、受信した画像データに基づいてシートに画像を印刷する。
【００２１】
なお、クライアント装置１００は、ＰＣに限らず、ＰＤＡやスマートフォン等の携帯情報端末でもよい。また、ファクス装置１００は、コピー機能やＰＣプリント機能を備えるＭＦＰ（Ｍｕｌｔｉ  Ｆｕｎｃｔｉｏｎａｌ  Ｐｅｒｉｐｈｅｒａｌ）であってもよい。
【００２２】
次に、図２を用いてファクス装置１００の構成について説明する。      
【００２３】
図２は、図１に示したファクス装置１００のハードウェア構成を示すブロック図である。
【００２４】
図２において、制御部２０１は、ＲＯＭ２０３に格納されたプログラムをＲＡＭ２０３に読み出して実行することでファクス装置１００を統括的に制御する。
【００２５】
ＲＡＭ２０２は、揮発性メモリであり、制御部２０１のワークエリアとして機能する。
【００２６】
ＲＯＭ２０３は、不揮発性メモリであり、制御部２０１によって、読み出されて実行される種々のプログラムを格納する。
【００２７】
操作部２０４は、ハードキーやタッチパネル付きの表示部で構成されている。表示部には、操作画面やファクス装置１００の状態が表示される。操作部２０４は、ハードキーやタッチパネルを介してユーザから指示を受け付ける。
【００２８】
プリンタ部２０５は、制御部２０１からの指示に基づき、給紙カセットや手差しトレイから搬送された記録媒体（シート）に画像を印刷する。
【００２９】
スキャナ部２０６は、ＡＤＦ（Ａｕｔｏ  Ｄｏｃｕｍｅｎｔ  Ｆｅｅｄｅｒ）や、プラテンガラスの上にセットされた原稿を、制御部２０１からの指示に基づいて読み取り、読み取った原稿の画像を示す画像データに変換する。
【００３０】
ＨＤＤ２０７（Ｈａｒｄ  Ｄｉｓｋ  Ｄｒｉｖｅ）は、各種のプログラムや、画像データを格納するための不揮発性の記憶装置である。
【００３１】
ＮＩＣ（Ｎｅｔｗｏｒｋ  Ｉｎｔｅｒｆａｃｅ  Ｃａｒｄ）２０８は、ファクス装置１００が、ネットワークを介してデータを送受信するためのインタフェース制御を行う。
【００３２】
モデム２１０は、画像データの送受信を行う際に、送受信データの変復調を行う。
【００３３】
ＮＣＵ２１１（Ｎｅｔｗｏｒｋ  Ｃｏｎｔｒｏｌ  Ｕｎｉｔ）は、ファクス装置１００を公衆電話網１４０に接続し、回線の開閉、発着信、画像データの送受信を制御する。
【００３４】
ＮＣＵ２１１以外の構成は、メインバス２２０で接続されており、メインバス２２０を介してデータをやり取りする。
【００３５】
次に、図３を用いてクライアント装置１１０の構成について説明する。
【００３６】
図３は、図１に示したクライアント装置１１０のハードウェア構成を示すブロック図である。
【００３７】
制御部３０１は、ＲＯＭ３０３に格納されたプログラムをＲＡＭ３０２に読み出して実行することでクライアント装置１１０を統括的に制御する。
【００３８】
ＲＡＭ３０２は、揮発性のメモリであり、制御部３０１のワークエリアとして用いられる。
【００３９】
ＲＯＭ３０３は、不揮発性のメモリであり、制御部３０１によって、読み出される種々のプログラムを記憶する。
【００４０】
操作部３０４は、ハードキーやマウスで構成されており、ユーザからの指示を受付けるために用いられる。なお、操作部３０４はタッチパネルを備えていてもよい。
【００４１】
ＨＤＤ３０５は、は、各種のプログラムや、画像データを格納するための不揮発性の記憶装置である。
【００４２】
ネットワーク制御部３０６は、クライアント装置１１０がネットワーク１３０を介してファクス装置１００などの外部装置と通信するための制御を行う。
【００４３】
表示部３０７は、液晶ディスプレイで構成され、クライアント装置１１０で実行されるアプリケーションの画面や、ファクスドライバの画面が表示される。
【００４４】
これらの構成は、メインバス３０８を介して接続されており、メインバス３０８を介してデータをやり取りする。
【００４５】
次に、図４を用いて、クライアント装置１１０の表示部３０７に表示されるファクスドライバの画面を説明する。例えば、クライアント装置１１０の文書作成ソフトや、描画ソフト等のアプリケーションソフトから呼び出されて起動される。図４の画面は、制御部３０１が、ＲＯＭ３０３に記憶されたファクスドライバプログラムをＲＡＭ３０２に読み出して実行することによって表示部３０７に表示される。
【００４６】
表示部３０７には、複数の設定を受け付けるための項目が設けられている。
【００４７】
制御部３０１は、操作部３０４を介して各項目の設定を受け付け、受け付けた設定をＨＤＤ３０５に記憶する。
【００４８】
プレビュー表示部５００は、クライアント装置１１０のアプリケーションソフトで生成された送信対象の画像データのプレビューが表示される。
【００４９】
ファクス選択指定項目５１０は、画像データの転送元となるファクス装置の選択をユーザから受け付けるための項目である。画像データの転送元として図１のファクス装置１００が選択された状態で送信キー６３０が押されると、クライアント装置１１０は、画像データをファクス装置１００に送信し、当該ファクス装置１００にその画像データを送信させる。
【００５０】
部数入力項目５２０は、画像データの送信部数を決めるための項目である。クライアント装置１１０は、部数入力項目５２０で受け付けた部数分、画像データを生成し、ファクスジョブとしてファクス装置１００に送信する。
【００５１】
ページ指定項目５３０は、クライアント装置１１０が保持する送信対象の画像データを全ページ送信する場合に選択される。ページ指定項目５４０は、クライアント装置１１０が保持する画像データを「開始」で指定されたページから、「終了」で指定されたページまで送信する場合に選択される。
【００５２】
用紙サイズ指定項目５５０は、クライアント装置１１０が保持する送信対象の画像データの用紙サイズを決めるための項目である。
【００５３】
設定画面選択項目５６０は、ユーザがファクスドライバの画面を変更するための項目である。図４では、基本設定が選択されている。ユーザは、画像データの解像度や、外線接続番号の設定を行うために、設定画面選択項目５６０の中から特別処理を選択する。特別処理が選択されると、図７に示す画面が表示部３０７に表示される。
【００５４】
宛先一覧５７０は、ユーザによって追加された宛先の一覧が表示される。宛先の追加キー５８０が選択されると、制御部３０１は、図５に示す宛先の追加画面を表示部３０７に表示させ、宛先の追加画面で追加された宛先が宛先一覧５７０に表示される。
【００５５】
アドレス帳キー５９０は、アドレス帳に予め登録された宛先情報を呼び出して宛先に追加するためのキーである。
【００５６】
宛先の編集キー６００は、一度宛先一覧５７０に追加された宛先情報の編集を行うためのキーである。
【００５７】
削除キー６１０は、一度宛先一覧５７０に追加された宛先情報を削除するためのキーである。
【００５８】
キャンセルキー６２０は、図４の画面で設定された内容を有効にせずに図４に示す画面の表示をやめるためのキーである。
【００５９】
送信キー６３０は、図４の画面で設定された内容で画像データをファクス装置１００に送信させるためのキーである。
【００６０】
次に、図５を用いて宛先の追加キー５８０が選択されたことに応じて表示される宛先の追加画面を説明する。
【００６１】
宛先名８１０は、宛先の識別名称を入力するための項目である。
【００６２】
通信モード８２０は、ファクス装置１００が、宛先名８１０で入力された識別名称で示される宛先と通信を行う際の通信モードを選択するための項目である。
【００６３】
本実施形態では、通信モードとして、Ｇ３／Ｇ４、Ｉｎｔｒａｎｅｔ、ＮＧＮ、ＶｏＩＰ  Ｇａｔｅｗａｙを選択することができる。なお、ＮＧＮは、Ｎｅｘｔ  Ｇｅｎｅｒａｔｉｏｎ  Ｎｅｔｗｏｒｋの略である。ＮＧＮは、インターネットサービス用ＩＰネットワークと電話サービス用の電話網を、ＩＰ技術を用いてＱｏＳ（Ｑｕａｌｉｔｙ  ｏｆ  Ｓｅｒｖｉｃｅ）やセキュリティを向上させたＩＰ通信網として統合した次世代ＩＰネットワークのことである。また、ＶｏＩＰは、Ｖｏｉｃｅ  ｏｖｅｒ  Ｉｎｔｅｒｎｅｔ  Ｐｒｏｔｏｃｏｌの略であり、音声を符号化及び圧縮し、パケットに変換したものをＩＰ（Ｉｎｔｅｒｎｅｔ  Ｐｒｏｔｏｃｏｌ）ネットワークでリアルタイム伝送する技術である。
【００６４】
ファクス番号／ＵＲＩ８３０は、宛先と通信するために、ファクス番号を用いるのか、ＵＲＩを用いるのかを選択するための画面である。なお、ＵＲＩは、Ｕｎｉｆｏｒｍ  Ｒｅｓｏｕｒｃｅ  Ｉｄｅｎｔｉｆｉｅｒの略である。
【００６５】
ファクス番号８４０は、宛先のファクス番号を入力するための項目である。ファクス番号／ＵＲＩ８３０でＵＲＩが選択されると、ファクス番号８４０に入力された内容がＵＲＩとして機能する。
【００６６】
キャンセルキー８５０は、図５の画面で設定された内容をキャンセルして図５に示す画面を閉じるためのキーである。
【００６７】
ＯＫキー８６０は、図５の画面で設定された内容を有効にして図５に示す画面を閉じるためのキーである。図５の画面が閉じられると、図４の画面が表示される。ＯＫキー８６０が押されると、制御部３０１は、図５で設定された内容をＨＤＤ３０５に記憶し、画像データの送信時に使用できるようにしておく。ここで、ＨＤＤ３０５に記憶された宛先情報の例を図９（ａ）に示す。
【００６８】
宛先情報１は、宛先名としてＡが記憶されており、宛先番号として０３１２３４５６７８が記憶されており、通信モードとしてＧ３／Ｇ４が記憶されている。また、ファクス番号／ＵＲＩには、宛先番号がファクス番号であることが記憶されている。
【００６９】
宛先情報２は、宛先名としてＢが記憶されており、宛先番号として５３５０が記憶されており、通信モードとしてイントラネットが記憶されている。また、ファクス番号／ＵＲＩには、宛先番号がファクス番号であることが記憶されている。
【００７０】
宛先情報３は、宛先名としてＣが記憶されており、宛先番号として１１１１２２２２が記憶されており、通信モードとしてＶｏＩＰゲートウェイが記憶されている。また、ファクス番号／ＵＲＩには、宛先番号がファクス番号であることが記憶されている。
【００７１】
宛先情報４は、宛先名としてＤが記憶されており、宛先番号としてａｂｃ＠ｘｙｚ．ｃｏ．ｊｐが記憶されており、通信モードとしてＵＲＩが記憶されている。また、ファクス番号／ＵＲＩには、宛先番号がＵＲＩであることが記憶されている。
【００７２】
このような４つの宛先情報が追加された後の画面を図６に示す。図６には４つの宛先情報が追加されている。なお追加される宛先情報は複数に限らず、１つであってもよい。
【００７３】
宛先情報９１０の宛先名としてＡが表示されており、宛先番号として０３１２３４５６７８が表示されており、通信モードとしてＧ３／Ｇ４が表示されている。
【００７４】
宛先情報９２０の宛先名としてＢが表示されており、宛先番号として５３５０が表示されており、通信モードとしてイントラネットが表示されている。
【００７５】
宛先情報９３０の宛先名としてＣが設定されており、宛先番号として１１１１２２２２が設定されており、通信モードとしてＶｏＩＰゲートウェイが設定されている。
【００７６】
宛先情報９４０の宛先名としてＤが設定されており、宛先番号としてａｂｃ＠ｘｙｚ．ｃｏ．ｊｐが設定されており、通信モードとしてＶｏＩＰゲートウェイが設定されている。
【００７７】
図６に示す画面で、いずれかの宛先情報が操作部３０４の操作によって選択され、宛先の編集９４０が選択されると、図５に示す画面が表示部３０７に再び表示され、宛先情報を編集することができる。
【００７８】
また、図６に示す画面で、いずれかの宛先情報が操作部３０４の操作によって選択され、削除キー９５０が選択されると、選択された宛先情報が削除される。
【００７９】
このように４つの宛先情報が設定された状態で、送信キー９６０が押されると、設定された４つの宛先情報で示される宛先に、それぞれの宛先情報で示される通信モードに従って画像データを送信するためのファクスジョブが制御部３０１によって生成される。生成されたファクスジョブはファクス装置１００に送信され、ファクス装置１００によってファクスジョブが実行される。ファクスジョブが実行されると、設定された４つの宛先情報で示される宛先に、それぞれの宛先情報で示される通信モードに従って画像データが送信される。
【００８０】
図７は、設定画面選択項目５６０で特別処理が選択された場合に表示部３０７に表示される画面である。
【００８１】
解像度選択項目１０２０は、送信対象の画像データの解像度を決めるための項目である。送信対象の画像データは、制御部３０１によって、解像度選択項目１０２０で設定された解像度に変換されて送信される。なお、画像データの変換は、ファクス装置１００の制御部２０１によって行われてもよい。
【００８２】
外線接続番号チェック欄１０１０は、図６の画面で宛先情報として指定されたファクス番号に、通信モードごとに予め決められた外線接続番号を付与するよう指定するためのチェック欄である。この外線接続番号チェック欄１０１０がチェックされていると、制御部３０１は、ＲＡＭ３０２に、外線接続番号を付与する設定を記憶しておく。そして、制御部３０１は、外線接続番号を付与する設定が記憶されていると、図６の画面で宛先情報として指定されたファクス番号に、通信モードごとに予め決められた外線接続番号を付与する。
【００８３】
設定キー１０３０は、外線接続番号チェック欄１０１０にチェックが付けられると、選択可能に表示される。設定キー１０３０が押されると、図８に示す画面が表示部３０７に表示される。
【００８４】
図８に示す画面は、通信モードごとに外線接続番号を設定するための画面である。
【００８５】
１１１０は、通信モードとしてＧ３／Ｇ４が設定された宛先情報の電話番号に付与する外線接続番号を設定するための項目である。
【００８６】
１１２０は、通信モードとしてＩｎｔｒａｎｅｔが設定された宛先情報の電話番号に付与する外線接続番号を設定するための項目である。
【００８７】
１１３０は、通信モードとしてＮＧＮが設定された宛先情報の電話番号に付与する外線接続番号を設定するための項目である。
【００８８】
１１４０は、通信モードとしてＶｏＩＰ  ゲートウェイが設定された宛先情報の電話番号に付与する外線接続番号を設定するための項目である。
【００８９】
キャンセルキー１１６０は、図８の画面で設定された内容をキャンセルして図８に示す画面を閉じるためのキーである。
【００９０】
ＯＫキー１１７０は、図８の画面で設定された内容を有効にして図８に示す画面を閉じるためのキーである。ＯＫキー８６０が押されると、制御部３０１は、図８で設定された内容を、ＨＤＤ３０５に記憶する。図８に示す画面が閉じられると、図７に示す画面の表示に戻る。
【００９１】
図９（ｂ）は、通信モードごとに外線接続番号が記憶されたテーブルである。
【００９２】
Ｇ３／Ｇ４モードには、外線接続番号として０が設定されている。
【００９３】
Ｉｎｔｒａｎｅｔモードには、外線接続番号として６０２が設定されている。
【００９４】
ＮＧＮモードには、外線接続番号として００が設定されている。
【００９５】
ＶｏＩＰ  Ｇａｔｅｗａｙモードには、外線接続番号として０５０が設定されている。
【００９６】
なお、外線接続番号は、空欄にすることも可能である。空欄にしておくと、外線接続番号チェック欄１０１０にチェックされていても、外線接続番号が空欄の通信モードの宛先情報には、外線接続番号が付与されない。
【００９７】
次に、図１０のフローチャートを用いて、ユーザによって追加された宛先情報の宛先番号に、宛先情報の通信モードに従って外線接続番号を付与する制御を説明する。なお、図１０に示す処理は、図６で送信キー９６０が押された場合に開始される。図１０に示す処理は、クライアント装置１００の制御部３０１が、ＲＯＭ３０３に記憶されたプログラムをＲＡＭ３０２に読み出して実行することによって行われる。
【００９８】
Ｓ２０００で、制御部３０１は、外線接続番号を付与するよう設定されているか否かを判定する。
【００９９】
図７の外線接続番号チェック欄１０１０にチェックが付与されていると、外線接続番号を付与する設定がＲＡＭ３０２に記憶される。そして、外線接続番号を付与する設定がＲＡＭ３０２に記憶されている場合に、制御部３０１は、外線接続番号を付与するよう設定されていると判断する。一方、図７の外線接続番号チェック欄１０１０にチェックが付与されていない場合、外線接続番号を付与する設定がＲＡＭ３０２に記憶されていない。その場合、制御部３０１は、外線接続番号を付与するよう設定されていないと判定する。
【０１００】
Ｓ２０１０で、制御部３０１は、ＨＤＤ３０５に記憶された図９（ａ）に示す宛先情報を取得する。複数の宛先情報が記憶されている場合、制御部３０１は、複数の宛先情報を取得する。
【０１０１】
Ｓ２０２０で、制御部３０１は、ＨＤＤ３０５に記憶された図９（ｂ）に示す外線接続番号を取得する。本実施形態では、複数の通信モードのそれぞれに対して、予め設定された外線接続番号が記憶されている。そのため、Ｓ２０２０で、制御部３０１は、複数の外線接続番号を取得する。
【０１０２】
Ｓ２０３０で、制御部３０１は、ＲＡＭ３０２に変数Ｎを用意し、Ｓ２０１０で取得された宛先情報の総数をカウントし、カウントした総数を変数Ｎに格納する。
【０１０３】
Ｓ２０４０で、制御部３０１は、Ｎが０であるか否かを判定する。Ｎが０である場合、制御部３０１は、Ｓ２０５０に処理を進め、Ｎが０でない場合、制御部３０１は、Ｓ２０６０に処理を進める。Ｓ２０５０で、制御部３０１は、表示部３０７に、「宛先一覧に宛先が追加されていません。」というエラーメッセージを表示する。
【０１０４】
Ｓ２０６０で、制御部３０１は、ＲＡＭ３０２に変数Ｉを用意し、Ｉに初期値１を代入する。
【０１０５】
Ｓ２０７０で、制御部３０１は、Ｉ番目の宛先の宛先情報を解析する。
【０１０６】
Ｓ２０８０で、制御部３０１は、Ｉ番目の宛先情報は、ＵＲＩであるか否かを判定する。ＵＲＩでないと判定された場合、制御部３０１は、Ｓ２０９０に処理を進め、ＵＲＩであると判定された場合、Ｓ２０９０に示す処理を実行せずにＳ２１００に処理を進める。
【０１０７】
Ｓ２０９０で、制御部３０１は、外線接続番号の付与処理を実行する。外線接続番号の付与処理の詳細を、図１１を用いて説明する。
【０１０８】
図１１に示す処理は、制御部３０１が、ＲＯＭ３０３に記憶されたプログラムをＲＡＭ３０２に読み出して実行することによって行われる。
【０１０９】
Ｓ３０１０で、制御部３０１は、Ｉ番目の宛先情報の通信モードがＧ３／Ｇ４であるか否かを判定する。Ｉ番目の宛先情報の通信モードがＧ３／Ｇ４であると判定した場合、Ｓ３１００に処理を進め、Ｉ番目の宛先情報の通信モードがＧ３／Ｇ４ではないと判定した場合、Ｓ３０２０に処理を進める。Ｓ３１００で、制御部３０１は、図９（ｂ）のテーブルのうち、Ｇ３／Ｇ４に対して設定された外線接続番号をＩ番目の宛先番号に付与し、図１０のＳ２１００に処理を進める。
【０１１０】
Ｓ３０２０で、制御部３０１は、Ｉ番目の宛先情報の通信モードがＩｎｔｒａｎｅｔであるか否かを判定する。Ｉ番目の宛先情報の通信モードがＩｎｔｒａｎｅｔであると判定した場合、Ｓ３１１０に処理を進め、Ｉ番目の宛先情報の通信モードがＩｎｔｒａｎｅｔではないと判定した場合、Ｓ３０３０に処理を進める。Ｓ３１１０で、制御部３０１は、図９（ｂ）に示すテーブルのうち、Ｉｎｔｒａｎｅｔに対して設定された外線接続番号をＩ番目の宛先番号に付与し、図１０のＳ２１００に処理を進める。
【０１１１】
Ｓ３０３０で、制御部３０１は、Ｉ番目の宛先情報の通信モードがＮＧＮであるか否かを判定する。Ｉ番目の宛先情報の通信モードがＮＧＮであると判定した場合、Ｓ３１２０に処理を進め、Ｉ番目の宛先情報の通信モードがＮＧＮではないと判定した場合、Ｓ３０４０に処理を進める。Ｓ３１２０で、制御部３０１は、図９（ｂ）のテーブルのうち、ＮＧＮに対して設定された外線接続番号をＩ番目の宛先番号に付与し、図１０のＳ２１００に処理を進める。
【０１１２】
Ｓ３０４０で、制御部３０１は、図９（ｂ）に示すテーブルのうち、ＶｏＩＰゲートウェイに対して設定された外線接続番号をＩ番目の宛先番号に付与し、図１０のＳ２１００に処理を進める。
【０１１３】
図１０の説明に戻る。図１０のＳ２１００で、制御部３０１はＩに１を加算する。そして、Ｓ２１１０で、制御部３０１は、Ｉが宛先情報の総数Ｎより大きいか否かを判定する。ＩがＮより大きくないと判定すると、制御部３０１は、Ｓ２０７０に処理を進め、次の宛先情報の処理に移る。一方、Ｓ２１１０で、ＩがＮより大きいと判定すると、制御部３０１は、Ｓ２１２０に処理を進める。
【０１１４】
Ｓ２１２０で、制御部３０１は、クライアント装置１１０に保持された送信対象の画像データと、設定された宛先情報、発信元情報等の送信設定とを含むファクスジョブを生成する。
【０１１５】
Ｓ２１３０で、制御部３０１は、生成されたファクスジョブをファクス装置１００に送信する。
【０１１６】
図１２は、ファクス装置１００によるファクスジョブの送信処理を説明するための図である。図１１に示す処理は、制御部２０１が、ＲＯＭ２０３に記憶されたプログラムをＲＡＭ２０２に読み出して実行することによって行われる。
【０１１７】
Ｓ４０１０で、制御部２０１は、Ｓ４０１０で、クライアント装置１００からファクスジョブを受信したか否かを判定する。ファクスジョブを受信するまでＳ４０１０に示す処理を繰り返し、ファクスジョブを受信したら、制御部２０１は、Ｓ４０２０に処理を進める。
【０１１８】
Ｓ４０２０で、制御部２０１は、ファクスジョブを解析し、宛先情報や発信元情報、送信対象の画像データを特定する。
【０１１９】
Ｓ４０３０で、制御部２０１は、Ｓ４０２０で特定された宛先情報を、送信対象の画像データの宛先として設定する。
【０１２０】
Ｓ４０４０で、制御部２０１は、送信対象の画像データを符号化する。
【０１２１】
Ｓ４０５０で、制御部２０１は、Ｓ４０３０で設定された宛先に、当該宛先情報のためにユーザによって設定された通信モードに従って画像データを送信する。
【０１２２】
以上のような制御を行うことによって、通信モードごとに決められた外線接続番号を決めておき、ユーザが宛先情報ごとに指定した通信モードに適した外線接続番号を容易に付与することができる。
【０１２３】
そのため、ユーザは、通信モードごとに適した外線接続番号を注意して入力せずとも、外線接続番号チェック欄１０１０にチェックを付けるという容易な操作で、設定された宛先情報に外線接続番号を付与することができる。
【０１２４】
特に、複数の宛先に画像データを送信する際に、外線接続番号チェック欄１０１０にチェックを付けるという容易な操作で、複数の宛先番号のそれぞれに対して通信モードに応じた外線接続番号を一括して付与することができる。
【０１２５】
なお、上述した実施形態では、通信モードとして、Ｇ３／Ｇ４、Ｉｎｔｒａｎｅｔ、ＮＧＮ、ＶｏＩＰゲートウェイを例に挙げて説明したが、通信モードは、他の通信モードであってもよい。
【０１２６】
また、本実施形態では、クライアント装置１１０のファクスドライバで上記の処理を行う例を説明したが、上記の処理を、ファクス装置１００で行ってもよい。ファクス装置１００で行う場合、制御部２０１が、図４〜図８に示す画面と同様の設定を受け付ける画面を操作部２０４に表示し、ユーザから設定を受け付ければよい。そして、制御部２０１が、図１０〜図１２に示す処理を実行すればよい。なお、このとき、図９（ａ）〜（ｃ）の宛先情報は、ＨＤＤ２０７に記憶されるものとする。
【０１２７】
＜第２の実施形態＞
第１の実施形態では、複数の通信モードのそれぞれに対して外線接続番号を予め決めておく例を説明した。
【０１２８】
ＩＰファクス環境には外線接続番号を付与しないで使用するユーザによっては、ＩＰファクスの外線接続番号は不要である場合がある。そこで、第２の実施形態では、予め決められた外線接続番号を、ＩＰファクス以外の宛先にのみ外線接続番号を付与する例を説明する。
【０１２９】
なお、システムや装置の構成については、第１の実施形態と同様であるため、詳しい説明を省略し、第１の実施形態との差分について詳細に説明する。
【０１３０】
第１の実施形態では、図８に示す画面を介して通信モードごとの外線接続番号を設定する例を説明したが、第２の実施形態では、図８の画面の代わりに、図１３の画面が表示部３０７に表示される。
【０１３１】
図１３に示す画面は、図７の設定キー１０３０が押されたときに表示される画面である。第１の実施形態と異なり、外線接続番号入力欄１４１０は１つだけ設けられている。
【０１３２】
ユーザは操作部３０４を操作し、外線接続番号入力欄１４１０に外線接続番号を入力する。そしてＯＫキーが押されると、制御部３０１は、入力された外線接続番号１４１０をＲＡＭ３０２に保存し、処理を終了する。
【０１３３】
図１４（ａ）は、図６に示す画面で、ユーザによって追加された宛先情報を示す。
【０１３４】
図１４（ｂ）は、図１３に示す画面で、ユーザによって設定された外線接続番号である。
【０１３５】
図１４（ｃ）は、図７に示す画面で、ユーザによって、外線接続番号チェック欄１０１０にチェックが付けられた状態で送信キーが押された場合に、宛先情報の通信モードに従って外線接続番号を付与した例である。
【０１３６】
宛先名Ａ〜Ｄのうち、ＩＰファクスではないＡのみに、外線接続番号０が付与されている。
【０１３７】
次に図１５を用いて、クライアント装置における外線接続番号の付与処理について説明する。なお、制御部３０１が、ＲＯＭ３０３に記憶されたプログラムをＲＡＭ３０２に読み出して実行することによって行われる。
【０１３８】
第１の実施形態と同じ処理については、第１の実施形態と同じ符号を付与しており、ここでは詳細な説明を省略する。
【０１３９】
Ｓ２０７０で、制御部３０１は、Ｉ番目の宛先の宛先情報を取得する。その後、制御部３０１は、Ｓ５０１０に処理を進める。
【０１４０】
Ｓ５０１０で、制御部３０１は、Ｉ番目の宛先情報は、ＩＰファクスか否かを判定する。Ｉ番目の宛先情報の通信モードがＩｎｔｒａｎｅｔ、ＮＧＮ、ＶｏＩＰゲートウェイの場合、制御部３０１は、Ｉ番目の宛先情報はＩＰファクスであると判定し、Ｓ２１００に処理を進める。一方、Ｉ番目の宛先情報の通信モードがＧ３／Ｇ４である場合、制御部３０１は、Ｉ番目の宛先情報は、ＩＰファクスではないと判定し、Ｓ５０２０に処理を進める。Ｓ５０２０で、制御部３０１は、図１４（ｂ）で示される予めユーザによって設定された外線接続番号を、Ｉ番目の宛先番号の先頭に付与し、Ｓ２１００に処理を進める。
【０１４１】
以降の処理は、第１の実施形態で説明した内容と同様である。
【０１４２】
以上の制御によって、ユーザは、ＩＰファクス以外の通信モードの宛先情報に外線接続番号を容易に付与することができる。なお、本実施形態では、外線接続番号が付与される宛先情報が１つである例を説明したが、ＩＰファクス以外の通信モードの宛先情報が複数設定されている場合、それら複数の通信モードの宛先情報のそれぞれに外線接続番号を付与すればよい。
【０１４３】
なお、本実施形態では、クライアント装置１１０のファクスドライバで上記の処理を行う例を説明したが、上記の処理を、ファクス装置１００で行ってもよい。ファクス装置１００で行う場合、制御部２０１が、図４〜図８に示す画面と同様の設定を受け付ける画面を操作部２０４に表示し、ユーザから設定を受け付ければよい。そして、制御部２０１が、図１１、図１２、図１５に示す処理を実行すればよい。なお、このとき、図９（ａ）〜（ｃ）の宛先情報は、ＨＤＤ２０７に記憶されるものとする。
【０１４４】
＜第３の実施形態＞
第１の実施形態や第２の実施形態は、ユーザによって予め設定された外線接続番号を宛先情報の宛先番号に、宛先番号の内容に関わらずに付与する例を説明した。
【０１４５】
ユーザによっては、外線接続番号を含めた宛先番号をアドレス帳のアドレスに登録しておき、アドレス帳キー５８０を使ってそのアドレスを読み出して宛先に追加している場合がある。
【０１４６】
このような場合に、その宛先番号にさらに外線接続番号を付与してしまうと、外線接続番号が重複してしまい、正しく送信できなくなるおそれがある。
【０１４７】
そこで、本実施形態では、追加された各宛先情報の先頭に既に外線接続番号が付与されていると判定された場合に、当該外線接続番号に重複して外線接続番号が付与されることを抑制する例を説明する。
【０１４８】
なお、システムや装置の構成については、第１の実施形態と同様であるため、詳しい説明を省略する。
【０１４９】
図１６（ａ）は、図６に示す画面で、ユーザによって追加された宛先情報を示す。
【０１５０】
図１６（ｂ）は、図８に示す画面で、ユーザによって設定された外線接続番号である。
【０１５１】
図１６（ｃ）は、図７に示す画面で、ユーザによって、外線接続番号チェック欄１０１０にチェックが付けられた状態で送信キーが押された場合に、宛先情報の通信モードに従って外線接続番号を付与した例である。
【０１５２】
宛先名Ａ〜Ｄのうち、宛先名Ｃの宛先番号の先頭には、外線接続番号「０５０」が付与されているが、宛先名Ｂの宛先番号の先頭には、既に宛先情報が外線接続番号を含んでいるため、外線接続番号「６０２」が付与されていない。
【０１５３】
なお、宛先名Ａのように、外線接続番号の「０」と、宛先番号の先頭の「０」が重複していても、宛先番号の先頭が市外局番「０３」である場合には、例外として「０」を付与する処理を行っている。
【０１５４】
第３の実施形態では、第１の実施形態で説明した図１１の外線接続番号付与処理の代わりに、図１０のＳ２０９０で図１７に示す処理が実行される。図１７の各処理について、図１１と同じ処理については、図１１と同じ符号を付けており、ここでは詳しい説明を省略する。なお、図１７に示す処理は、制御部３０１が、ＲＯＭ３０３に記憶されたプログラムをＲＡＭ３０２に読み出して実行することによって行われる。
【０１５５】
Ｓ３０１０で、制御部３０１は、Ｉ番目の宛先情報の通信モードがＧ３／Ｇ４であるか否かを判定する。Ｉ番目の宛先情報の通信モードがＧ３／Ｇ４であると判定した場合、Ｓ６０１０に処理を進め、Ｉ番目の宛先情報の通信モードがＧ３／Ｇ４ではないと判定した場合、Ｓ３０２０に処理を進める。
【０１５６】
Ｓ６０１０で、制御部３０１は、Ｉ番目の宛先情報の先頭にＧ３／Ｇ４に対して予め設定された外線接続番号と同じ数字列が含まれているか否かを判定する。Ｉ番目の宛先情報の先頭にＧ３／Ｇ４に対して予め設定された外線接続番号と同じ数字列が含まれていないと判定された場合、Ｓ３１００に処理を進める。Ｓ３１００で、制御部３０１は、図９（ｂ）に示す外線接続番号のうち、Ｇ３／Ｇ４に対して予め設定された外線接続番号をＩ番目の宛先番号に付与し、図１０のＳ２１００に処理を進める。
【０１５７】
一方、Ｓ６０１０で、Ｉ番目の宛先情報の先頭にＧ３／Ｇ４に対して予め設定された外線接続番号と同じ数字列が含まれていると判定された場合、制御部２０１は、Ｓ３１００の処理を行わずに、図１０のＳ２１００に処理を進める。
【０１５８】
Ｓ３０２０で、制御部３０１は、Ｉ番目の宛先情報の通信モードがＩｎｔｒａｎｅｔであるか否かを判定する。Ｉ番目の宛先情報の通信モードがＩｎｔｒａｎｅｔであると判定した場合、Ｓ６０２０に処理を進め、Ｉ番目の宛先情報の通信モードがＩｎｔｒａｎｅｔではないと判定した場合、Ｓ３０３０に処理を進める。
【０１５９】
Ｓ６０２０で、制御部３０１は、Ｉ番目の宛先情報の先頭にＩｎｔｒａｎｅｔに対して予め設定された外線接続番号と同じ数字列が含まれているか否かを判定する。Ｉ番目の宛先情報の先頭にＩｎｔｒａｎｅｔに対して予め設定された外線接続番号と同じ数字列が含まれていないと判定された場合、Ｓ３１１０に処理を進める。Ｓ３１１０で、制御部３０１は、図９（ｂ）に示す外線接続番号のうち、Ｉｎｔｒａｎｅｔに対して設定された外線接続番号をＩ番目の宛先番号に付与し、図１０のＳ２１００に処理を進める。
【０１６０】
一方、Ｉ番目の宛先情報の先頭にＩｎｔｒａｎｅｔに対して予め設定された外線接続番号が既に付与されていると判定された場合、制御部２０１は、Ｓ３１１０の処理を行わずに、図１０のＳ２１００に処理を進める。
【０１６１】
Ｓ３０３０で、制御部３０１は、Ｉ番目の宛先情報の通信モードがＮＧＮであるか否かを判定する。Ｉ番目の宛先情報の通信モードがＮＧＮであると判定した場合、Ｓ６０３０に処理を進め、Ｉ番目の宛先情報の通信モードがＮＧＮではないと判定した場合、Ｓ６０４０に処理を進める。
【０１６２】
Ｓ６０３０で、制御部３０１は、Ｉ番目の宛先情報の先頭にＮＧＮに対して予め設定された外線接続番号と同じ数字列が含まれているか否かを判定する。Ｉ番目の宛先情報の先頭にＮＧＮに対して予め設定された外線接続番号と同じ数字列が含まれていないと判定された場合、Ｓ３１２０に処理を進める。
【０１６３】
Ｓ３１２０で、制御部３０１は、図９（ｂ）に示す外線接続番号のうち、ＮＧＮに対して設定された外線接続番号をＩ番目の宛先番号に付与し、図１０のＳ２１００に処理を進める。一方、Ｉ番目の宛先情報の先頭にＮＧＮに対して予め設定された外線接続番号と同じ数字列が含まれていると判定された場合、制御部２０１は、Ｓ３１２０の処理を行わずに、図１０のＳ２１００に処理を進める。
【０１６４】
一方、Ｓ３０３０からＳ６０４０に処理を進めた場合、Ｓ６０４０で、制御部３０１は、Ｉ番目の宛先情報の先頭にＶｏＩＰゲートウェイに対して予め設定された外線接続番号と同じ数字列が含まれているか否かを判定する。Ｉ番目の宛先情報の先頭にＶｏＩＰゲートウェイに対して予め設定された外線接続番号と同じ数字列が含まれていないと判定された場合、Ｓ３０４０に処理を進める。Ｓ３０４０で、制御部３０１は、図９（ｂ）に示す外線接続番号のうち、ＶｏＩＰゲートウェイに対して設定された外線接続番号をＩ番目の宛先番号に付与し、図１０のＳ２１００に処理を進める。
【０１６５】
一方、Ｉ番目の宛先情報の先頭にＶｏＩＰゲートウェイに対して予め設定された外線接続番号と同じ数字列が含まれていると判定された場合、制御部２０１は、Ｓ３１４０の処理を行わずに、図１０のＳ２１００に処理を進める。
【０１６６】
なお、図１６で説明したように、宛先番号の先頭に市外局番が付与されている場合、外線接続番号と同じ数字が宛先番号の先頭に含まれていても、制御部３０１が、外線接続番号を付与するように制御してもよい。
【０１６７】
以上の制御によって、宛先番号が既に外線接続番号を含んでいる場合に、当該宛先番号に、外線接続番号が重複して付与されることによって、送信のエラーが発生することを抑制することができる。
【０１６８】
なお、本実施形態では、クライアント装置１１０のファクスドライバで上記の処理を行う例を説明したが、上記の処理を、ファクス装置１００で行ってもよい。ファクス装置１００で行う場合、制御部２０１が、図４〜図８に示す画面と同様の設定を受け付ける画面を操作部２０４に表示し、ユーザから設定を受け付ければよい。そして、制御部２０１が、図１０、図１２、図１９に示す処理を実行すればよい。なお、このとき、図１６（ａ）〜（ｃ）の宛先情報は、ＨＤＤ２０７に記憶されるものとする。
【０１６９】
＜第４の実施形態＞
第１〜３の実施形態では、ユーザによって設定された外線接続番号をファクスドライバによって付与する機能について説明した。
【０１７０】
第４の実施形態では、ファクス装置１００本体にも、外線接続番号を付与する機能がある場合に、ファクスドライバで付与された外線接続番号とファクス装置１００で付与された外線接続番号が重複し、送信エラーの原因となるおそれがある。
【０１７１】
そこで、本実施形態では、ファクス装置１００本体に、外線接続番号を付与する機能がある場合に、ファクスドライバで付与された外線接続番号とファクス装置１００で付与された外線接続番号が重複することを抑制する例を説明する。
【０１７２】
図１８（ａ）は、図６に示す画面で、ユーザによって追加された宛先情報を示す。
【０１７３】
図１８（ｂ）は、図８に示す画面で、ユーザによって設定された外線接続番号である。
【０１７４】
図１８（ｃ）は、ファクス装置１００本体で、宛先情報に自動的に付与するようユーザによって設定された外線接続番号の付与テーブルである。通信モードがＧ３／Ｇ４の宛先情報の宛先番号の先頭に「０」を付与するよう設定され、通信モードがＶｏＩＰゲートウェイの宛先情報の宛先番号の先頭に「０５０」を付与するよう設定されている。
【０１７５】
図１８（ｄ）は、図７に示す画面で、ユーザによって外線接続番号チェック欄１０１０にチェックが付けられた状態で送信キーが押された場合に、クライアント装置１１０の制御部３０１によって宛先情報の通信モードに従って外線接続番号を付与した例である。
【０１７６】
宛先名Ａ〜Ｄのうち、宛先名Ｂには、外線接続番号「６０２」が付与されている。一方、宛先名Ａは、宛先名Ａの通信モードがＧ３／Ｇ４であり、ファクス装置１００で外線接続番号が付与される予定であるため、クライアント装置１１０では外線接続番号「０」が付与されない。また、宛先名Ｃは、宛先名Ｃの通信モードがＶｏＩＰゲートウェイであり、ファクス装置１００で外線接続番号が付与されるため、外線接続番号「０５０」が付与されない。
【０１７７】
第４の実施形態では、第１の実施形態で説明した図１１の外線接続番号付与処理の代わりに、図１０のＳ２０９０で図１９に示す処理が実行される。図１９の各処理について、図１１と同じ処理については、図１１と同じ符号を付けており、ここでは詳しい説明を省略する。なお、図１９に示す処理は、制御部３０１が、ＲＯＭ３０３に記憶されたプログラムをＲＡＭ３０２に読み出して実行することによって行われる。
【０１７８】
Ｓ８０００で、制御部３０１は、図４の５１０で選択されたファクス装置から外線接続番号の付与テーブルを取得する。
【０１７９】
Ｓ３０１０で、制御部３０１は、Ｉ番目の宛先情報の通信モードがＧ３／Ｇ４であるか否かを判定する。Ｉ番目の宛先情報の通信モードがＧ３／Ｇ４であると判定した場合、Ｓ８０１０に処理を進め、Ｉ番目の宛先情報の通信モードがＧ３／Ｇ４ではないと判定した場合、Ｓ３０２０に処理を進める。
【０１８０】
Ｓ８０１０で、制御部３０１は、ファクス装置でＧ３／Ｇ４に対して外線接続番号を付与するよう設定されているか否かを判定する。ファクス装置でＧ３／Ｇ４に対して外線接続番号を付与するよう設定されていないと判定された場合、Ｓ３１００に処理を進める。Ｓ３１００で、制御部３０１は、図９（ｂ）に示す外線接続番号のうち、Ｇ３／Ｇ４に対して予め設定された外線接続番号をＩ番目の宛先番号に付与し、図１０のＳ２１００に処理を進める。
【０１８１】
一方、Ｓ６０１０で、ファクス装置でＧ３／Ｇ４に対して外線接続番号を付与するよう設定されていると判定された場合、制御部２０１は、Ｓ３１００の処理を行わずに、図１０のＳ２１００に処理を進める。
【０１８２】
Ｓ３０２０で、制御部３０１は、Ｉ番目の宛先情報の通信モードがＩｎｔｒａｎｅｔであるか否かを判定する。Ｉ番目の宛先情報の通信モードがＩｎｔｒａｎｅｔであると判定した場合、Ｓ８０２０に処理を進め、Ｉ番目の宛先情報の通信モードがＩｎｔｒａｎｅｔではないと判定した場合、Ｓ３０３０に処理を進める。
【０１８３】
Ｓ８０２０で、制御部３０１は、ファクス装置でＩｎｔｒａｎｅｔに対して外線接続番号を付与するよう設定されているか否かを判定する。ファクス装置でＩｎｔｒａｎｅｔに対して外線接続番号を付与するよう設定されていないと判定された場合、Ｓ３１１０に処理を進める。Ｓ３１１０で、制御部３０１は、図９（ｂ）に示す外線接続番号のうち、Ｉｎｔｒａｎｅｔに対して設定された外線接続番号をＩ番目の宛先番号に付与し、図１０のＳ２１００に処理を進める。
【０１８４】
一方、ファクス装置でＩｎｔｒａｎｅｔに対して外線接続番号を付与するよう設定されていると判定された場合、制御部２０１は、Ｓ３１１０の処理を行わずに、図１０のＳ２１００に処理を進める。
【０１８５】
Ｓ３０３０で、制御部３０１は、Ｉ番目の宛先情報の通信モードがＮＧＮであるか否かを判定する。Ｉ番目の宛先情報の通信モードがＮＧＮであると判定した場合、Ｓ８０３０に処理を進め、Ｉ番目の宛先情報の通信モードがＮＧＮではないと判定した場合、Ｓ８０４０に処理を進める。
【０１８６】
Ｓ８０３０で、制御部３０１は、ファクス装置でＮＧＮに対して外線接続番号を付与するよう設定されているか否かを判定する。Ｉ番目の宛先情報の先頭にＮＧＮに対して予め設定された外線接続番号と同じ数字列が含まれていないと判定された場合、Ｓ３１２０に処理を進める。
【０１８７】
Ｓ３１２０で、制御部３０１は、図９（ｂ）に示す外線接続番号のうち、ＮＧＮに対して設定された外線接続番号をＩ番目の宛先番号に付与し、図１０のＳ２１００に処理を進める。一方、ファクス装置でＮＧＮに対して外線接続番号を付与するよう設定されていると判定された場合、制御部２０１は、Ｓ３１２０の処理を行わずに、図１０のＳ２１００に処理を進める。
【０１８８】
一方、Ｓ３０３０からＳ８０４０に処理を進めた場合、Ｓ８０４０で、制御部３０１は、ファクス装置でＶｏＩＰゲートウェイに対して外線接続番号を付与するよう設定されているか否かを判定する。ファクス装置でＶｏＩＰゲートウェイに対して外線接続番号を付与するよう設定されていないと判定された場合、Ｓ３０４０に処理を進める。Ｓ３０４０で、制御部３０１は、図９（ｂ）に示す外線接続番号のうち、ＶｏＩＰゲートウェイに対して設定された外線接続番号をＩ番目の宛先番号に付与し、図１０のＳ２１００に処理を進める。
【０１８９】
一方、ファクス装置でＶｏＩＰゲートウェイに対して外線接続番号を付与するよう設定されていると判定された場合、制御部２０１は、Ｓ３１４０の処理を行わずに、図１０のＳ２１００に処理を進める。
【０１９０】
以上の制御によって、ファクス装置で外線接続番号を付与するよう設定されている場合に、クライアント装置からファクス装置に送信した宛先番号に、外線接続番号が重複して付与されることによって、送信のエラーが発生することを抑制することができる。
【０１９１】
（その他の実施形態）
以上、本発明の様々な例と実施形態を示して説明したが、本発明の趣旨と範囲は、本明細書内の特定の説明に限定されるものではない。
【０１９２】
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【０１９３】
３０１  制御部
３０２  ＲＡＭ
３０３  ＲＯＭ
３０５  ＨＤＤ
３０７  表示部
【図１】
2015201757.tif 000003
【図２】
2015201757.tif 000004
【図３】
2015201757.tif 000005
【図４】
2015201757.tif 000006
【図５】
2015201757.tif 000007
【図６】
2015201757.tif 000008
【図７】
2015201757.tif 000009
【図８】
2015201757.tif 000010
【図９】
2015201757.tif 000011
【図１０】
2015201757.tif 000012
【図１１】
2015201757.tif 000013
【図１２】
2015201757.tif 000014
【図１３】
2015201757.tif 000015
【図１４】
2015201757.tif 000016
【図１５】
2015201757.tif 000017
【図１６】
2015201757.tif 000018
【図１７】
2015201757.tif 000019
【図１８】
2015201757.tif 000020
【図１９】
2015201757.tif 000021